【事件の表示】
　平成　８年特許願第　１３０５６号「撮像システム及び撮像システムの制御方法」拒絶査定不服審判事件〔平成　９年　８月　５日出願公開、特開平　９−２０５５７２〕について、次のとおり審決する。
【結　論】
　本件審判の請求は、成り立たない。
【理　由】
【第１】経緯
　
［１］手続
　本願は、平成８年１月２９日の出願であって、手続の概要は以下のとおりである。
　
　手続補正（明細書の補正）　：平成１５年　１月２８日
　拒絶理由通知　　　　　　　：平成１６年１２月　１日（起案日）
　手続補正（明細書の補正）　：平成１７年　２月　４日
　拒絶査定　　　　　　　　　：平成１７年　６月１３日（起案日）
　拒絶査定不服審判請求　　　：平成１７年　７月２０日
　手続補正（明細書の補正）　：平成１７年　７月２０日
　前置審査報告　　　　　　　：平成１８年　１月　６日
　
［２］査定
  原審での査定の理由は、概略、以下のとおりである。
　
 　本願の各請求項に係る発明は、下記刊行物に記載された発明および周知技術に基づいて当業者が容易に発明をすることができたものであるから、特許法第２９条第２項の規定により、特許を受けることができない。 
 　　　　　記 
　刊行物１：特開平０７−３２２１０６号公報
　刊行物２：特開平０５−３００１３３号公報
　刊行物３：特開平０６−２０５４０９号公報
　刊行物４：特開平０７−３０６９３３号公報
　刊行物５：特開平０７−２８２２８９号公報
 　 
【第２】補正の却下の決定
　
　平成１７年７月２０日付けの手続補正（以下、本件補正という。）について次の通り決定する。  
 　 
　《結論》 
　
　平成１７年７月２０日付けの補正を却下する。 
 　 
　《理由》 
　
［１］特許請求の範囲の記載（補正前と補正後） 
　本件補正は特許請求の範囲についてする補正を含むところ、本件補正前および本件補正後の特許請求の範囲は、下記のとおりである。（補正部分をアンダーラインで示す。）
　　　　　記（補正前） 
　　【請求項１】　撮像したデータを記録するメモリを備える撮像ユニットと、前記撮像ユニットが接続されるとともに、記録装置、表示装置および入力装置を備えるコンピュータとを含む撮像システムであって、
　前記撮像ユニットに対応するアイコンおよび前記記録装置に対応するアイコンを前記表示装置に表示するよう制御するアイコン表示制御手段と、
　前記撮像ユニットに対応するアイコンが前記入力装置により選択されると、前記メモリに記録されるデータの一覧を表示するとともに、前記記録装置に対応するアイコンが前記入力装置により選択されると、前記記録装置に記録されるデータの一覧を前記表示装置に表示するよう制御するデータ一覧表示制御手段とを有することを特徴とする撮像システム。
　　【請求項２】　前記データ一覧表示制御手段は、前記メモリに記録されるデータの一覧および前記メモリに記録されるデータの一覧をそれぞれ独立したウィンドウ内に表示するよう制御することを特徴とする請求項１に記載の撮像システム。
　　【請求項３】　前記データ一覧表示制御手段は、前記ウィンドウ内にウィンドウをスクロールさせるための操作部を表示するよう制御することを特徴とする請求項２に記載の
撮像システム。
　　【請求項４】　前記入力装置により前記撮像ユニットに対応するアイコンを選択したときに、前記メモリに記録されるデータの少なくとも一部を前記記録装置に転送するデータ転送手段を有することを特徴とする請求項１ないし３のいずれか一項に記載の撮像システム。
　　【請求項５】　前記撮像ユニットが前記コンピュータに接続されたときに、前記撮像ユニットと前記コンピュータとの間で通信可能な最大速度を検出する接続速度検出手段を有することを特徴とする請求項１ないし４のいずれか一項に記載の撮像システム。
　　【請求項６】　撮像したデータを記録するメモリを備える撮像ユニットと、前記撮像ユニットが接続されるとともに、記録装置、表示装置および入力装置を備えるコンピュータとを含む撮像システムの制御方法であって、
　前記撮像ユニットに対応するアイコンおよび前記記録装置に対応するアイコンを前記表示装置に表示するよう制御するアイコン表示制御ステップと、
　前記撮像ユニットに対応するアイコンが前記入力装置により選択されると、前記メモリに記録されるデータの一覧を表示するとともに、前記記録装置に対応するアイコンが前記入力装置により選択されると、前記記録装置に記録されるデータの一覧を前記表示装置に表示するよう制御するデータ一覧表示制御ステップとを有することを特徴とする撮像システムの制御方法。
　　【請求項７】　前記データ一覧表示制御ステップは、前記メモリに記録されるデータの一覧および前記メモリに記録されるデータの一覧をそれぞれ独立したウィンドウ内に表示するよう制御することを特徴とする請求項６に記載の撮像システムの制御方法。
　　【請求項８】　前記データ一覧表示制御ステップは、前記ウィンドウ内にウィンドウをスクロールさせるための操作部を表示するよう制御することを特徴とする請求項７に記載の撮像システムの制御方法。
　　【請求項９】　前記入力装置により前記撮像ユニットに対応するアイコンを選択したときに、前記メモリに記録されるデータの少なくとも一部を前記記録装置に転送するデータ転送ステップを有することを特徴とする請求項６ないし８のいずれか一項に記載の撮像システムの制御方法。
　　【請求項１０】　前記撮像ユニットが前記コンピュータに接続されたときに、前記撮像ユニットと前記コンピュータとの間で通信可能な最大速度を検出する接続速度検出ステップを有することを特徴とする請求項６ないし９のいずれか一項に記載の撮像システムの制御方法。
　
　　　　　記（補正後） 
　　【請求項１】　撮像したデータを記録するメモリを備える撮像ユニットと、前記撮像ユニットが接続されるとともに、記録装置、表示装置および入力装置を備えるコンピュータとを含む撮像システムであって、
　前記撮像ユニットに対応するアイコンおよび前記記録装置に対応するアイコンを前記表示装置に表示するよう制御するアイコン表示制御手段と、
　前記撮像ユニットに対応するアイコンが前記入力装置により選択されると、
前記メモリから間引いたデータを前記コンピュータに転送して、
　
前記メモリに記録されるデータを前記記録装置に保存する場合には、前記メモリから間引いていないデータを前記記録装置に転送するデータ転送手段
　　【請求項２】　前記データ一覧表示制御手段は、前記メモリに記録されるデータの一覧および前記メモリに記録されるデータの一覧をそれぞれ独立したウィンドウ内に表示するよう制御することを特徴とする請求項１に記載した撮像システム。
　　【請求項３】　前記データ一覧表示制御手段は、前記ウィンドウ内にウィンドウをスクロールさせるための操作部を表示するよう制御することを特徴とする請求項２に記載した撮像システム。
　　【請求項
４
３
　　【請求項
５
　前記撮像ユニットに対応するアイコンおよび前記記録装置に対応するアイコンを前記表示装置に表示するよう制御するアイコン表示制御ステップと、
　前記撮像ユニットに対応するアイコンが前記入力装置により選択されると、
前記メモリから間引いたデータを前記コンピュータに転送して、
　
前記メモリに記録されるデータを前記記録装置に保存する場合には、前記メモリから間引いていないデータを前記記録装置に転送するデータ転送ステップ
　　【請求項
６
５
　　【請求項
７
６
　　【請求項
８
５
７
　　【請求項
９
５
８
　
［２］本件補正の適合性（第１７条の２第４項第１号〜第４号）
　
　（１）補正前後の各請求項の対応関係
　（ａ）請求項２および請求項３は補正の前後を通じて変更はなく、補正後請求項４は補正前請求項５に対応すること、補正後請求項５〜９のそれぞれは、補正前請求項６〜１０のそれぞれに対応すること、以上は明らかである。
　（ｂ）補正後請求項１が、補正前請求項１を補正するものであるか、補正前請求項４を補正するものであるか、それらの対応について検討するに、
　補正後請求項１の下線部分「
前記メモリから間引いたデータを前記コンピュータに転送して、
　また、補正後請求項１の下線部分「
前記メモリに記録されるデータを前記記録装置に保存する場合には、前記メモリから間引いていないデータを前記記録装置に転送するデータ転送手段
前記記録装置に保存する場合
　以上から、補正後請求項１は、補正前請求項１を補正したものであり、補正前請求項４は削除されている。
　
　（２）補正事項
　すなわち、特許請求の範囲についてする補正は、以下の補正事項からなる。
　(i)請求項４の削除
　(ii)請求項１についてする補正
　　補正前請求項１について、「
前記メモリから間引いたデータを前記コンピュータに転送して、
前記メモリに記録されるデータを前記記録装置に保存する場合には、前記メモリから間引いていないデータを前記記録装置に転送するデータ転送手段
　(iii)請求項５についてする補正
　　補正前請求項５について、自身の項番号を１つ繰り上げるとともに、引用請求項を「請求項１ないし請求項４」から「請求項１ないし請求項３」として、補正後請求項４とする補正。
を補正後請求項１とする補正、
　(iv)請求項６についてする補正
　　補正前請求項６について、自身の項番号を１つ繰り上げるとともに、「
前記メモリから間引いたデータを前記コンピュータに転送して、
前記メモリに記録されるデータを前記記録装置に保存する場合には、前記メモリから間引いていないデータを前記記録装置に転送するデータ転送ステップ
　(v)請求項７〜１０についてする補正
　　補正前請求項７〜１０について、それぞれ自身の項番号と引用請求項番号を１つ繰り上げて、補正後請求項６〜９とする補正
　
　（３）補正事項(ii)および(iv)（請求項１，請求項６についてする補正）
　これら各補正は、「手段」か「ステップ」の違いはあるものの実質的に同じ補正であり、いずれも、対応する補正前請求項１，６に発明を特定するために必要な事項として記載していなかった、下記特定事項（以下、「特定事項Ａ」という。）を、新たに追加記載する補正を含んでいる。
　　　　　　　　　記（特定事項Ａ）
　「
前記メモリに記録されるデータを前記記録装置に保存する場合には、前記メモリから間引いていないデータを前記記録装置に転送するデータ転送手段
　（ただし、補正前請求項６について補正後請求項５とする補正にあっては、「
データ転送手段
データ転送ステップ
　
  これら各補正は、特定事項の追加であるから補正前請求項１，６を減縮するものではある。しかし、補正前請求項１，６は、いずれも追加記載した上記「特定事項Ａ」に対応する特定事項を全く記載しておらず、したがって、上記「特定事項Ａ」を追加記載するこれら各補正は、補正前請求項１，６に記載した
発明を特定するために必要な事項
限定
　
　（４）まとめ
　上記補正事項(ii)（補正前請求項１について、「
前記メモリから間引いたデータを前記コンピュータに転送して、
前記メモリに記録されるデータを前記記録装置に保存する場合には、前記メモリから間引いていないデータを前記記録装置に転送するデータ転送手段
　上記補正事項(iv)（補正前請求項６について、自身の項番号を１つ繰り上げるとともに、「
前記メモリから間引いたデータを前記コンピュータに転送して、
前記メモリに記録されるデータを前記記録装置に保存する場合には、前記メモリから間引いていないデータを前記記録装置に転送するデータ転送ステップ
　そして、これら各補正は、いずれも、特許法第１７条の２第４項第１号，第３号，第４号でそれぞれ規定する請求項の削除、誤記の訂正、明りょうでない記載の釈明のいずれを目的とするものにも該当しない。
　
  以上によれば、これら各補正を含む本件補正は、特許法第１７条の２第４項各号に掲げる目的とするもののいずれにも該当しない。
　
［３］まとめ
　本件補正は特許請求の範囲についてする補正を含むところ、その補正は、特許法第１７条の２第４項各号に掲げる事項を目的とするもののいずれにもも該当しない。 
 　したがって、本件補正は、特許法第１７条の２第４項の規定に違反しているものであるから、特許法第１５９条第１項において読み替えて準用する同法第５３条第１項の規定により却下すべきものである。 
　
　《独立特許要件についての予備的検討》
　本件補正は、前記した理由により却下すべきであるが、仮に、本件補正が特許法第１７条の２第４項第２号に規定する特許請求の範囲の減縮を目的するものに該当し、特許法第１７条の２第４項の規定に適合するとしたとしても、補正後の請求項１に記載された発明（以下、「補正後発明」ともいう。）は、以下のとおり、上記刊行物４に記載された発明および上記刊行物１に記載された発明および下記刊行物６ならびに周知慣用技術に基づいて当業者が容易に発明をすることができたものであるから、特許法第２９条第２項の規定により、特許出願の際独立して特許を受けることができないものである。
　したがって、本件補正は、特許法第１７条の２第５項において準用する同法第１２６号第５項の規定に違反するから、特許法１５９条第１項において読み替えて準用する同法第５３条第１項の規定により却下すべきものである。
  　 
　補正後の請求項１に記載された発明（補正後発明）が、特許出願の際独立して特許を受けることができないとする理由は、以下のとおりである。
　
　《特許出願の際独立して特許を受けることができないとする理由》
　後記【第４】での検討（特に［２］刊行物４を主引用例として）を踏まえた上検討する。
　
　（ａ）補正前請求項１について追加される特定事項
　補正前請求項１について追加される特定事項は、以下の２点である。
　(i)追加特定事項Ａ
　前記撮像ユニットに対応するアイコンが前記入力装置により選択されると、なされる前記メモリに記録されるデータの一覧の表示が、「
前記メモリから間引いたデータを前記コンピュータに転送して、
　この「
前記メモリから間引いたデータを前記コンピュータに転送して、
　(ii)追加特定事項Ｂ
　「
前記メモリに記録されるデータを前記記録装置に保存する場合には、前記メモリから間引いていないデータを前記記録装置に転送するデータ転送手段
　
　（ｂ）対比（刊行物４を主引用発明として）
　補正後発明（上記追加される特定事項）と刊行物４発明｛刊行物４（特開平７−３０６９３３号公報）に記載された発明｝とを対比する。 
　
　（ｂ１）追加特定事項Ａについて
　後記【第４】［２］（１）（ｃ）での検討結果によれば、は、前記入力装置による
特定の操作
間引いたデータ
間引いたデータ
間引いたデータを前記コンピュータに転送
　相違が認められる。
　（ｂ２）追加特定事項Ｂについて
　後掲(K14)「メモリーカードウィンドウ内に表示されているネガ画面を選択し、次に他のアルバムウィンドウの矩形を選択すると、自動的にネガフィルムのコマ状の枠取りのないフォト画面として他のアルバムの矩形内に複写されるようになっている。」における、複写され保存される画像データは、アルバムとして残す画像であることから、（圧縮）標準画像と認め得、したがって、「
間引いていないデータを転送する
　また、「アルバム」は記憶装置４ｂ（補正後発明の「記録装置」に相当する。）の特定の保存領域のことであるから、「
前記記録装置に転送する
　以上によれば、刊行物４発明は上記追加特定事項Ｂに相当する手段を有しているといえ、この点において補正後発明と相違しない。
　
　（ｃ）一致点・相違点
　上記（ｂ１）（ｂ２）および、後記【第４】での検討によれば、
　
一致点
　
相違点
　　　　　　記（追加の一致点）
「
前記メモリに記録されるデータを前記記録装置に保存する場合には、前記メモリから間引いていないデータを前記記録装置に転送するデータ転送手段
　　　　　　記（追加の相違点（相違点４））
　「前記入力装置による
特定の操作
　補正後発明では、
「
前記メモリから間引いたデータを前記コンピュータに転送して、
　刊行物４発明では、
間引いたデータ
「
前記メモリから間引いたデータを前記コンピュータに転送して、
　
　（ｃ）相違点の判断等
　（ｃ１）相違点１〜３について
　後記する判断と同じく、当業者が容易になし得ることである。
　（ｃ２）相違点４について
　　〈周知技術〉
　メモリに、原画像データとともに、原画像を間引いた縮小画像も記録しておき、縮小画像を検索や一覧表示に使用できるようすることは周知である。これには、例えば、下記周知例３〜５、７等が参照される。
　また、メモリに記録された画像データについて、データを間引いて転送すること（周知例６）や、間引いた縮小データを転送すること（周知例３、４）も周知である。
  　〈刊行物６記載技術〉
　新たに引用する特開平７−２４５７２３号公報（以下「刊行物６」という）には、
　ディジタルスチルカメラのメモリカードに、主画像と、主画像を間引いた縮小画像を対応して記録しておき、他の画像取扱装置に伝送する場合、まず縮小画像を送信し、受信側からの必要な画像指定情報を受信後、指定された間引いていない主画像を伝送するようにすること
　が記載されている（特に段落0097〜0099、図３６）。
　〈判断〉
　後記（【第４】［２］（３）（ａ））するように、刊行物１記載技術を参照することにより、刊行物４発明が使用する「画像読取装置３」を用いず、撮像したデータを記録するメモリを備える撮像ユニットをコンピュータに接続する構成とすることは当業者が容易になし得るところ、
　そのようにしたとき、一覧表示は、同表示から記録装置に（間引かない）標準画像を保存する画像を確認するためのものでもあり、縮小画像（間引いたデータ）があれば十分であることは当業者に自明であるから、
　上記周知技術、刊行物６記載技術を参照すれば、補正後発明に係る上記相違点４の構成とすること、すなわち、刊行物４発明において、「前記入力装置による
特定の操作
前記メモリから間引いたデータを前記コンピュータに転送して、
　また、刊行物４の(K15)に、画像受信時は、送信されてきたフォト画面又はネガ画面、すなわち縮小画像を見て確認した後に保存するので「標準画像データを保存する前に送信元画面及びフォト画面又はネガ画面を確認できるので無駄な画像データを保存してしまうことがなくなる。」との記載があることからも、上記変更への示唆があると言うべきである。
　
　　　　　　　　記（刊行物）
　刊行物６：特開平７−２４５７２３号公報（特許請求の範囲、段落0003〜0005、0028〜0049、0097〜0099、00136〜0137）
　
　　　　　　　　記（周知例）
　周知例３：特開平７−２４５７２３号公報
　周知例４：特開平５−１６７９７３号公報（特許請求の範囲、段落0002〜0003、0017、0033〜0036等参照）
　周知例５：特開平５−２２６８２号公報
　周知例６：特開平５−１６７９７３号公報
　周知例７：特開平７−１８４１６０号公報（段落0020等）
　
　（ｃ３）まとめ
　相違点１〜相違点４に係る補正後発明の構成は、いずれも当業者に想到容易でない格別のものであるとはいえず、また、補正後発明の構成を全体としてみても格別のものはなく、その技術的効果も、上記刊行物４、刊行物１および刊行物６の記載及び周知慣用技術から当業者に予測し得る範囲内のものである。
　
　（ｄ）まとめ （当審の判断）
 　補正後発明は、刊行物４に記載された発明、刊行物１に記載された発明、および刊行物６に記載された発明並びに周知慣用技術に基づいて当業者が容易に発明をすることができたものであるから、特許法第２９条第２項の規定により特許出願の際独立して特許を受けることができないものである。
　
【第３】本願発明
　
 　平成１７年７月２０日付けの手続補正は上記のとおり却下する。 
 　本願の請求項１から請求項１０までに係る発明は、本願明細書及び図面（平成１５年１月２８日付および平成１７年２月４日付の手続補正書により補正された明細書及び図面）の記載からみて、それぞれ、その特許請求の範囲の請求項１から請求項１０までに記載した事項により特定されるとおりのものであるところ、そのうち、請求項１に係る発明（以下、本願発明ともいう）は、下記（上記補正前の請求項１に同じ、再掲）のとおりである。 
　
　　　　　記（本願発明） 
　撮像したデータを記録するメモリを備える撮像ユニットと、前記撮像ユニットが接続されるとともに、記録装置、表示装置および入力装置を備えるコンピュータとを含む撮像システムであって、
　前記撮像ユニットに対応するアイコンおよび前記記録装置に対応するアイコンを前記表示装置に表示するよう制御するアイコン表示制御手段と、
　前記撮像ユニットに対応するアイコンが前記入力装置により選択されると、前記メモリに記録されるデータの一覧を表示するとともに、前記記録装置に対応するアイコンが前記入力装置により選択されると、前記記録装置に記録されるデータの一覧を前記表示装置に表示するよう制御するデータ一覧表示制御手段とを有することを特徴とする撮像システム。
　
【第４】当審の判断
　
［１］引用刊行物の記載 
　
　（１）刊行物４（特開平０７−３０６９３３号公報）
 　原査定の拒絶の理由に引用された刊行物４には、以下の記載がある。
　
　〈請求項１〉
　(K1)「【請求項１】  映像信号をデジタル化された画像データとして外部メモリに記録するデジタル電子スチルカメラと、該外部メモリに記録された画像データを読み取る画像読取手段と、画像データを画面表示する表示装置及び画像データを保存する記憶装置及び画像データを圧縮して縮小画像データを作る圧縮／伸長器とを有する画像データ処理手段と、画像データの送受信を行う通信手段とからなる通信機能を持つ画像データのファイリングシステムであって、
前記外部メモリに記録された複数の画像データにそれぞれ対応する縮小画像データをネガフイルムのコマ状の枠取りがされたネガ画面として前記表示装置に一覧表示し、前記記憶装置の画像データの保存領域をアルバムとして表示し、該保存領域に保存された複数の画像データにそれぞれ対応する縮小画像データをアルバムに貼られたフォト画面として前記表示手段に一覧表示し、ネガ画面またはフォト画面を選択してこれに対応する画像データを前記記録装置に対して複写・削除することによって、画像データの分類・整理・表示を行うことを特徴とする通信機能を持つ画像データのファイリングシステム。」（請求項１）
　
　〈産業上の利用分野〉
　(K2)「【０００１】
【産業上の利用分野】本発明は通信機能を持つ画像データのファイリングシステムに関する。」
　
　〈発明が解決しようとする問題点〉
　「【０００４】
　(K3)「【発明が解決しようとする課題】本発明は、このような背景の下で、あたかも写真を撮るようにデジタル画像データを記録するというデジタル電子スチルカメラの特性に着眼し、写真として認識できるような比較的小さな画面を一覧表示したうえで、その表示方法や操作方法に最大限の工夫を加えることにより、コンピュータを用いたデータファイリングや通信の専門知識や未熟な者でも容易に扱うことのできる、通信機能を持つ画像データのファイリングシステムを提供することを目的としている。」
　
　〈課題を解決するための手段〉
　(K4)「【０００５】
【課題を解決するための手段】前記目的を達成するために本発明は、日常的な写真の取扱いと視覚的感覚的に一致するよう縮小画像データを用いて比較的小さい画面を常に一覧表示させながら縮小画像データが現在どのような記録状態にあるかを直観させるようにしている。
【０００６】具体的には、映像信号をデジタル化された画像データとして外部メモリに記録するデジタル電子スチルカメラと、該外部メモリに記録された画像データを読み取る画像読取手段と、画像データを画面表示する表示装置及び画像データを保存する記憶装置及び画像データを圧縮して縮小画像データを作る圧縮／伸長器とを有する画像データ処理手段と、画像データの送受信を行う通信手段とからなる通信機能を持つ画像データのファイリングシステムであって、前記外部メモリに記録された複数の画像データにそれぞれ対応する縮小画像データをネガフイルムのコマ状の枠取りがされたネガ画面として前記表示装置に一覧表示し、前記記憶装置の画像データの保存領域をアルバムとして表示し、該保存領域に保存された複数の画像データにそれぞれ対応する縮小画像データをアルバムに貼られたフォト画面として前記表示手段に一覧表示し、ネガ画面またはフォト画面を選択してこれに対応する画像データを前記記録装置に対して複写・削除することによって、画像データの分類・整理・表示を行うようにしたものである。」
　
　〈実施例〉
　(K5)「【００１３】【実施例】
第１実施例（図１〜図８）
図１に本発明に係る一実施例の構成例を示す。本発明の通信機能を持つ画像データのファイリングシステムは、デジタル電子スチルカメラ１と、外部メモリ２と、画像読取装置３と、表示装置４ａ、記憶装置４ｂ、圧縮／伸長器４ｃ及び制御・処理装置４ｄを有する画像データ処理手段４と、データの送受信を行う通信手段５とから構成されている。
【００１４】デジタル電子スチルカメラ１は、ＣＣＤによりアナログ映像信号として変換された被写体の映像をデジタル化された画像データに変換するものである。このデジタル電子スチルカメラ１で生成される画像データは、１画像当たり４８ＫＢの非常にコンパクトな容量に圧縮された形式となっている（なお、以下この容量の画像データを「圧縮標準画像データ」と称する）。外部メモリ２は、デジタル電子スチルカメラ１にて得られた画像データを記録するもので、この例ではデジタル電子スチルカメラ１に着脱自在に取り付けられた、書換え可能なカード式の不揮発性メモリである。画像読取装置３は、外部メモリ２に記録された画像データを読み取って画像データ処理手段４に出力するものである。
【００１５】画像データ処理手段４は、この例ではモニタ、ハードディスク、圧縮／伸長器などの周辺機器、本体からなるパーソナルコンピュータを用いている。そして、通信手段５は、インターフェースコンバータ、回線端末装置（ＤＳＵ）などを備えたデジタル信号を送受信するための公知の通信手段である。」
　(K6)「【００１６】外部メモリ２に記録された圧縮標準画像データは、画像読取装置３を介して画像データ処理手段４に取り込まれ、圧縮／伸長器４ｃによって伸長され、後述するネガ画面又はフォト画面の詳細表示用、若しくはフル拡大表示用の標準画像データ（１画像約１ＭＢ）となる。さらに、この標準画像データは、圧縮／伸長器４ｃによって縦横１／８、容量１／６４に圧縮され、ネガ画面又はフォト画面若しくは後述する送信先画面又は送信元画面の表示用の縮小画像データ（１画像約１．５ＫＢ）となる。この標準画像データ及び対応する縮小画像データは、対応を示す識別子が付けられこれら画像に付随させる文字データと共に記憶装置４ｂに設けられた後述するアルバム保存領域又は受信アルバム保存領域に保存される。さらに、送信先画面又は送信元画面の表示用の縮小画像データは、この画像に付随させる送信先文字データと共に記憶装置４ｂに設けられた後述するアドレス帳保存領域に保存される。なお、通信手段５を介してデータの通信を行う時は送受信時間の節約のために標準画像データの状態では送受信を行わず、圧縮標準画像データ、縮小画像データの状態で送受信するようになっている。」
　(K7)「【００１７】図２〜４は本実施例の画像データ処理手段４における操作フローの概略を示す図である。このシステムを起動すると、先ず表示装置４ａに画像データの保存領域の設定を促すダイアログが表示される。このダイアログでは、既に記憶装置４ｂ内に設定されている画像データの保存領域をアルバム保存領域としてそのアルバム名を一覧表示し、アルバム名を選択するとアルバムウィンドウが開き、その保存領域内の圧縮標準画像データに対応する縮小画像データを用いて後述するフォト画面が表示されるようになっている。また、記憶装置４ｂ内にアルバム保存領域が設定されていない場合には、アルバム名の入力を促してアルバム保存領域を設定するようになっている。このように画像データの保存領域をアルバムとして扱い、表示するようにしているので、写真アルバムを開くという日常の感覚と一致して操作を行うことができる」
　(K8)「【００１８】なお、ここで表示装置４ａの画面上段に『アルバム』、『メモリーカード（なお、メモリーカードとは外部メモリ２を意味する）』、『アドレス帳』、『アドレス帳作成』の表示がなされ、これらを指定することにより、メニュー選択をすることができる。メニュー選択すると、上記のアルバムウィンドウとは別途にアルバムウィンドウ、メモリーカードウィンドウ又はアドレス帳ウィンドウが表示され、それぞれのメニューに対する操作に移ることができるが、これについては後述する」
　(K9)「【００１９】図５にアルバムウィンドウの一例を示す。アルバムウィンドウの上側枠内にはアルバム名が表示され、アルバムウィンドウ内には『アルバム作成』、『名称変更』、『削除』の機能ボタン、その下に上下２段に分かれて１０個の矩形が表示され、この矩形内に縮小画像データの画面（以下、「フォト画面」とする）が一覧表示される。すなわちこのシステムの利用者は、アルバム名を選択しウィンドウを開くとフォト画面が一覧表示されるので、アルバムを開いて写真を見るという日常的な作業と視覚的感覚的に一致した操作に従って画像データを閲覧することができるようになっている。
【００２０】また、同図の矩形の枠線だけが示された部分は、この保存領域に画像データが１０個以下しかないことを表している。さらに、また、矩形内の写真アルバムを模した図案（以下、アルバムマークと称する）は、記憶装置４ｂ内の階層構造における下位階層に存在する画像データの保存領域を示し、矩形内にさらに小さく分類されたアルバムがあることを視覚的に表している。」
　(K10)「【００２３】そして、アルバムウィンドウ内に表示されているフォト画面またはアルバムマークを、他の所定のマウス操作により選択するとフォト画面の詳細表示またはアルバムウィンドウの表示を行うことができる。フォト画面を選択した場合は、フォト画面の縦横４倍の大きさの画像および文字データ表示領域および『拡大』、『終了』の機能ボタンを持つフォト詳細ダイアログが表示される。文字データ表示領域には文字データを入力することができ、この文字データはフォト画面の画像データと共に記憶装置４ｂに記憶され、このフォト画面のフォト詳細ダイアログを表示したときには常に表示されるようになっている。また、『拡大』機能ボタンを選択すると、このフォト詳細ダイアログの画像をさらに縦横２倍、すなわちフォト画面の縦横４倍のサイズ（前述した標準画像データが表示装置４ａの画面にフル表示される。）で画像だけを表示し、拡大された画像に所定のマウス操作を行うとフォト詳細ダイアログに戻るようになっている。『終了』を選択した場合にはフォト詳細ダイアログが閉じられ、元のアルバムウィンドウの表示に戻る。このように通常は比較的小さなフォト画面で一覧表示し、必要時のみに標準詳細画像として見ることができるようになっているため、一度に沢山の画像を見比べることができ、分類・整理などを効率よく行うことができる。
【００２４】また、アルバムマークを選択してアルバムウィンドウを表示させた場合は、下位階層のアルバム保存領域にある画像データのフォト画面とさらに下位階層に位置するアルバムマークが表示される。すなわち、システムの利用者はアルバムウィンドウ内のアルバムマークをマウス操作で選択して開くだけで、階層構造を意識せずに下位階層への移行を行うことができる。なお、新たに開かれたアルバムウィンドウ内での機能およびその操作は先のアルバムウィンドウと同じであるため説明を省略する。」
　(K11)「【００２５】さらに、他のアルバムウィンドウを複数表示させた状態で、フォト画面またはアルバムマークを選択し、次に、他のアルバムウィンドウの空いた矩形を選択するとフォト画面またはアルバムマークを他のアルバムの矩形内に移動させることができる。この例では、この選択をマウスのドラッグ（マウスのクリックボタンを押したままマウスを移動させること）とドロップ（押されていたマウスのクリックボタンを離すこと）により行うようにしている。すなわち、一つまたは複数の画像データを異なる保存領域間で簡単に移動することができ、使用者は画像データをあたかも写真アルバムに写真を貼り替える感覚で分類・整理することができるようになっている。」
　(K12)「【００２６】図３を参照してメニュー選択をした場合について説明する。メニュー選択で『アルバム』を指定するとアルバムメニューが示され、ここで『開く』を選択すると新たに別なアルバムウィンドウが開かれ、『閉じる』を選択すると一番最後に開かれたアルバムウィンドウが閉じられるようになっている。ここで新たに開かれたアルバムウィンドウ内での機能およびその操作も先のアルバムウィンドウと同じであるため説明を省略する。そして『終了』を選択した場合には、システム終了となる。」
　(K13)【００２７】また、『メモリーカード』を指定するとメモリーカードメニューが示され、ここで『開く』を選択すると図６に示すメモリーカードウィンドウが開かれ、『閉じる』を選択するとメモリーカードウィンドウが閉じられる。メモリーカードウィンドウ内には『削除』の機能ボタン、その下に上下２段に分かれて１０個のネガフイルムのこま送り用の穴を模した枠取りがなされた矩形が表示され、この矩形内には画像読取装置３で読み取られた外部メモリ２内の画像データに対応する縮小画像データの画面（以下、ネガ画面とする）が一覧表示される。このように、外部メモリ２に記録され記憶装置４ｂに保存される前の画像データをネガ画面として示しているため、システムの利用者はアルバムに貼られる前の状態、すなわち記憶装置４ｂに保存される前であるということを視覚的感覚的に認識することができるようになっている。なお、外部メモリ２内の画像データが１０枚以下の場合には、枠取りのみが表示される。」
　(K14)「【００２９】さらに、メモリーカードウィンドウ内に表示されているネガ画面を選択し、次に他のアルバムウィンドウの矩形を選択すると、自動的にネガフィルムのコマ状の枠取りのないフォト画面として他のアルバムの矩形内に複写されるようになっている。すなわち、利用者は、あたかもネガを焼き付け写真とした後、アルバムに貼付して分類・整理するという感覚で画像データのファイリングを行うことができる。」
　(K15)「【００３３】また、本システムは、受信を常に監視する常駐タイプのプログラムを有しているので画像データの受信を電話の受信音で知らせることができるようになっており、この受信音が鳴ったときにアドレス帳メニューから受信を選択すると送信元画面及び送信されてきたフォト画面又はネガ画面と共にメッセージが表示される。そして、その画面を見て必要と判断した時には、『受信する』を選択すれば送信されてきた標準画像データが記憶装置４ｂ内にあらかじめ設けた受信専用の画像データ保存領域（以下、「受信アルバム保存領域」とする）に保存される。このように標準画像データを保存する前に送信元画面及びフォト画面又はネガ画面を確認できるので無駄な画像データを保存してしまうことがなくなる。なお、受信アルバム保存領域は前述したアルバム保存領域と実質上同じもので、設定する保存領域の階層位置に応じて、アルバムウィンドウを開けたときにその中の矩形内にアルバムマークで示されるようになっている。」
　
　（２）刊行物１（特開平７−３２２１０６号公報）
 　原査定の拒絶の理由に引用された刊行物１には、以下の記載がある。
　
　〈産業上の利用分野〉
　(M1)「【０００１】
【産業上の利用分野】本発明は、ディジタル電子スチルカメラに関し、特にメモリカード等の記憶媒体または外部制御装置との接続ケーブルとが共通に接続可能な電子スチルカメラの構成に関する。」
　
　〈発明が解決しようとする課題〉
　(M2)「【００１０】
【発明が解決しようとする課題】従来の技術においては、外部記憶媒体としてＰＣ（パソコン）等の外部制御機器に直結可能なＰＣカードを使用する事が多い。このＰＣカードとしてはＳＲＡＭカード、フラッシュメモリカード、1.8ＨＤＤ等が実用化されている。ＳＲＡＭカードの場合は、ＳＲＡＭチップ自体が小容量で且つ高価である。
【００１１】フラッシュメモリカードの場合は、大容量化の可能性はあるものの、書き込み時間が遅く画像ファイルのような大容量のデータを高速に扱うためには、メモリ以外に制御回路が必要となり、結果としてフラッシュメモリカードを制御するためには全体の価格が上昇してしまうこととなる。
【００１２】また、ＨＤＤ装置を外部記憶媒体として考えた場合も同様に、記憶媒体自体が高価なものとなってしまう。」
　
　〈実施例〉
　(M3)「【００１４】
【実施例】以下、図面を用いて本発明の一実施例を説明する。図において同じ部位は同じ符号で示す。図１は本発明の実施例である電子スチルカメラの具体的な構成ブロック図である。図において、１はレンズ、２はＣＣＤ等の撮像素子、３は撮像素子からの撮像信号、４は映像信号を作成する信号処理回路、５は信号処理回路４により得られる映像信号、６は映像信号５をディジタル信号に変換するＡ／Ｄ変換器、７はコモンメモリ１１の画像データの制御を行うメモリコントローラー、８はメモリコントローラー７とコモンメモリ１１との間のデータバス、９は同アドレスバス、１０は同制御信号バス、１１は複数枚分の画像データを記憶可能なコモンメモリ、・・・（以下略）
【００１５】また、図２は図１のカメラに脱着可能なメモリカードの構成図であり、図６の従来のメモリカードにカードの判別ツメ６８が追加されたものである。図において、５０はメモリカード側データバス、５１は同アドレスバス、５２は同制御信号バス、５３はコモンメモリ６１の画像データを制御するメモリコントローラー、・・・（中略）・・・６１は複数枚分の画像データを記憶可能なコモンメモリ、６２は電源、６３は電源電圧、６４は電源制御回路、６５、６６、６７は電源制御回路６４からの電源電圧、６８はこのカードはメモリカードであるという事をカメラ側が判別するためのツメ、６９は５０〜６８のデバイスおよび信号線を格納するケースである。」
　(M4)「【００１６】また、図３は図１の電子スチルカメラに装着可能な接続ケーブルと外部制御機器との接続構成図である。図において、１００は接続ケーブル側データバス、１０１は同アドレスバス、１０２は同制御信号バス、１２０はデータバス１００をスルーで外部出力した信号線、１２１はアドレスバス１０１をスルーで外部出力した信号線、１２２は制御信号バス１０２をスルーで外部出力した信号線、１１８はこのカードは接続ケーブルであるという事をカメラ側が判別するためのツメ、１１９は１００〜１２２のデバイスおよび信号線を格納するケース、１２３はパソコンなどの外部制御機器である。」
　(M5)「【００１９】メモリカード未装着時は、画像の記録／再生／消去をカメラ内コモンメモリを通して制御する。コモンメモリ１１をアクセスするには制御信号バス１０を介して動作モードをコモンメモリに伝えた後、アドレスバス９を介してアドレスを指定しデータバス８を介してデータの入出力を行う。ここでカメラ内コモンメモリ１１はメモリカード内のコモンメモリと同様の通常ＤＯＳ  ＦＡＴファイルシステムで記述されるように構成される。
【００２０】接続ケーブル装着時、メモリコントローラー７は接続ケーブルが装着されている時には外部制御機器からの制御信号／アドレス信号に従い動作し、データバスを介してデータの入出力を行う。メモリコントローラー７はコモンメモリ１１をアクセスする時にはまずアトリビュートメモリ１５をアクセスしコモンメモリ１１の属性情報（アクセスタイム、メモリ種別等のＲ／Ｗ条件）を外部制御機器に転送した後、その属性情報に従ってコモンメモリ１１が外部制御機器からアクセスされ、接続ケーブル装着時はＤＯＳ  ＦＡＴファイルシステムで記述された内蔵コモンメモリに対して外部制御機器からアクセスされるように構成される」
　(M6)「【００２３】ここで、メモリカード内のコモンメモリ６１は通常ＤＯＳ  ＦＡＴファイルシステムで記述され，図４に示されるようにセクタ０から順にシステム予約領域、ＦＡＴ、ディレクトリ、データ領域から構成される。カメラＣＰＵ１６はディレクトリとＦＡＴを管理しながらコモンメモリ６１へのリード／ライト制御をメモリコントローラー７，５３を通して行う。・・・（以下略）
【００２４】接続ケーブル装着時には、接続ケーブル内のデータバス１００／アドレスバス１０１／制御信号バス１０２は接続ケーブルのケース１１９の内部をいかなる信号処理も受けずにそのままスルーでデータバス１２０／アドレスバス１２１／制御信号バス１２２として外部に出力される。外部出力されたバス１２０／１２１／１２２はパソコンなどの外部制御機器１２３と接続されている。」
　(M7)「【００２６】以上のような動作を行う事により、メモリカード装着時にはカメラ内マイコンから出力される制御信号に従ってメモリカード内のコモンメモリへデータをアクセスし、接続ケーブル装着時には外部装置から出力される制御信号に従ってカメラ内のコモンメモリへデータをアクセスする映像装置を実現できる。
【００２７】また接続ケーブル装着時には外部制御機器はカメラ内コモンメモリ１１に対し画像データの書込／読出／消去いずれの事も行う事ができ、さらにディジタル画像データをディジタル映像信号出力２４を介してＮＴＳＣビデオアウト信号として出力する事も可能である。」
　(M8)「【００３０】
【発明の効果】以上のように本発明によれば、カード型記憶媒体を使用可能で、且つ、内蔵された画像記憶手段をカード型記憶媒体と同様に扱う（すなわち、ＰＣ等の外部制御機器からみると、あたかも電子スチルカメラ自体が安価なメモリカード型記憶媒体として動作する）事が可能となり、ユーザーは、自分の目的に応じた記憶媒体を選択可能となる。
【００３１】また、比較的少ない記録枚数で良い場合には、カメラに内蔵された安価な記憶媒体のみで充分であり、撮影後、カメラ内部の画像データを、ＰＣカードインターフェースを通してＰＣ等の外部制御機器に転送すれば良い。
【００３２】また、記録枚数の多い撮影の場合には、フラッシュメモリカード、ＨＤＤ等の大容量記憶が可能なＰＣカードに画像を記録させ、撮影後は、ＰＣカードを直接ＰＣ等の外部制御機器に装着し、画像データの転送を行う事が可能となる。
【００３３】またＰＣ等の外部制御機器で加工した画像データを、直接、カメラに内蔵された記憶手段に転送し、ＴＶ上で見る事も可能となる。」
  
［２］刊行物４を主引用例として
　
　（１）対比（対応関係） 
　
　〈引用発明４〉
　上記刊行物４には、名称を「通信機能を持つ画像データのファイリングシステム」とする発明（以下、「引用発明４」という。）が記載されており、前掲(K3)を目的とし、前掲(K1)(K4)を要部とするものであって、その詳細を第１実施例（前掲(K5)〜(K13)、第１図〜第８図）のようにしたものである。
　
　本願発明と引用発明４とを対比すると、以下の対応が認められる。 
　
　（ａ）前提構成、「撮像したデータを記録するメモリを備える撮像ユニットと、前記撮像ユニットが接続されるとともに、記録装置、表示装置および入力装置を備えるコンピュータとを含む撮像システム」
　前掲(K5)によれば、引用発明４では、
　「外部メモリ２」は、「デジタル電子スチルカメラ１」に着脱自在に取り付けられ、「デジタル電子スチルカメラ１」にて得られた画像データを記録するものであり（段落0014）、
　画像読取装置３は、「外部メモリ２」に記録された画像データを読み取って「画像データ処理手段４」に出力するものであり（段落0014）、
　「画像データ処理手段４」は、「外部メモリ２と、画像読取装置３と、表示装置４ａ、記憶装置４ｂ、圧縮／伸長器４ｃ及び制御・処理装置４ｄを有」し（段落0013）、「モニタ、ハードディスク、圧縮／伸長器などの周辺機器、本体からなるパーソナルコンピュータ」を用いている（段落0015）。
　引用発明４の「外部メモリ２」は、本願発明でいう「撮像したデータを記録するメモリ」に、引用発明４の「デジタル電子スチルカメラ１」は、本願発明でいう「撮像したデータを記録するメモリを備える撮像ユニット」にそれぞれ相当する。
　また、引用発明４の「表示装置４ａ」または「モニタ」は、本願発明の「表示装置」に、引用発明４の「記憶装置４ｂ」または「ハードディスク」は、本願発明の「記録装置」に相当する。引用発明４の「パーソナルコンピュータ」または「画像データ処理手段４」は、前掲(K11)の「マウス」を含む「入力装置」も有していることも明らかである。
　したがって、引用発明４の「パーソナルコンピュータ」または「画像データ処理手段４」は、本願発明でいう「記録装置、表示装置および入力装置を備えるコンピュータ」といい得るものであり、これと「デジタル電子スチルカメラ１」と画像読取装置３を合わせたものは、「撮像システム」といい得るものである。
　もっとも、引用発明４では、外部メモリ２に記録された画像データは、画像読取装置３を介して画像データ処理手段４（パーソナルコンピュータ）に取り込まれる、すなわち、画像データ処理手段４（パーソナルコンピュータ）は画像読取装置３を介して外部メモリ２に接続されるのに対して、本願発明では、コンピュータは「（メモリを備える）前記撮像ユニットが接続される」としており、この点において相違が認められる。
　以上によれば、引用発明４は、「撮像したデータを記録するメモリを備える撮像ユニットと、記録装置、表示装置および入力装置を備えるコンピュータとを含む撮像システム」である点で本願発明と一致し、
　本願発明では、コンピュータは「（メモリを備える）前記撮像ユニットが接続される」とするのに対して、引用発明４では、コンピュータは「画像読取装置３を介して外部メモリ２に接続される」点で相違する。
　
　（ｂ）「前記撮像ユニットに対応するアイコンおよび前記記録装置に対応するアイコンを前記表示装置に表示するよう制御するアイコン表示制御手段」
　本願発明の上記「アイコン表示」は、「操作のための表示」といい得るところ、引用発明４は「アイコン表示」するものではないが、後記するように、これに対応する表示として、「操作のための表示」といい得る、メニューの表示（表示装置４ａの画面上段の『アルバム』、『メモリーカード』、『アドレス帳』、『アドレス帳作成』の表示）、メモリーカードメニューの表示、アルバムメニューの表示、アルバム名一覧表示をするものである。
　したがって、本願発明と引用発明４は、「
操作のための表示を制御する制御手段
　「操作のための表示を制御する制御手段」が、本願発明では、「前記撮像ユニットに対応するアイコンおよび前記記録装置に対応するアイコンを前記表示装置に表示するよう制御するアイコン表示制御手段」であるのに対して、引用発明４では、そのような「アイコン表示制御手段」ではない点で相違する。
　
　（ｃ）「前記撮像ユニットに対応するアイコンが前記入力装置により選択されると、前記メモリに記録されるデータの一覧を表示するとともに、前記記録装置に対応するアイコンが前記入力装置により選択されると、前記記録装置に記録されるデータの一覧を前記表示装置に表示するよう制御するデータ一覧表示制御手段」
　（ｃ１）前段の「前記撮像ユニットに対応するアイコンが前記入力装置により選択されると、前記メモリに記録されるデータの一覧を表示する」
　〈引用発明４のメモリーカードウィンドウ〉
　前掲(K6)(K13)、図６によれば、引用発明４では、図６に示されるメモリカードウインドウ内に、画像読取装置３で読み取られた外部メモリ２内の圧縮標準画像データに対応する縮小画像データの画面が一覧表示されるところ、「外部メモリ２」は本願発明でいう「撮像したデータを記録するメモリ」に相当するものであることは前記のとおりであるから、この一覧表示は、本願発明でいう「前記メモリに記録されるデータの一覧を表示する」に相当する。
　また、前掲(K8)(K12)(K13)、図２，３，６によれば、このメモリカードウインドウの表示は、表示装置４ａの画面上段の『アルバム』、『メモリーカード（なお、メモリーカードとは外部メモリ２を意味する）』、『アドレス帳』、『アドレス帳作成』の表示（段落0018）から、メニュー選択で『メモリーカード』を「指定」し、これにより示されるメモリーカードメニューで『開く』を「選択」することでなされる（段落0027）ところ、そのような「指定」や「選択」の操作が前記「入力装置」でなされることは明らかである。
　したがって、引用発明４は、「前記入力装置による
特定の操作
特定の操作
　本願発明と引用発明４とは、「前記入力装置による
特定の操作
　もっとも、その「特定の操作」が、本願発明では、「前記撮像ユニットに対応するアイコンが前記入力装置により選択されると、」であるのに対して、引用発明４では、「メニュー選択で『メモリーカード』を指定し、メモリーカードメニューで『開く』を選択すると、」である点では相違が認められる。
　そして、表示装置４ａの画面上段の『アルバム』、『メモリーカード』、『アドレス帳』、『アドレス帳作成』の表示、および、メモリーカードメニューの表示は、「操作のための表示」といえ、本願発明でいう「前記撮像ユニットに対応するアイコン」「を前記表示装置に表示する」ことに対応するものである。
　（ｃ２）後段の「前記記録装置に対応するアイコンが前記入力装置により選択されると、前記記録装置に記録されるデータの一覧を前記表示装置に表示する」
　前掲(K7)(K9)によれば、引用発明４では、図５に示されるように、アルバムウインドウ内に、圧縮標準画像データに対応する縮小画像データを用いてフォト画面が一覧表示されるところ、この圧縮標準画像データは、記憶装置４ｂ（本願発明でいう「記録装置」に相当する）に記録された画像データであって、同記憶装置４ｂ内に設定されている画像データの保存領域（アルバム保存領域）のうちの、選択されたアルバムの保存領域内に記録された画像データ、すなわち、前記記録装置に記録される画像データであって、前記記録装置内の特定の保存領域内に記録されるデータの一覧表示である。
　(K7)(K8)(K12)によれば、アルバムウインドウの表示および上記一覧表示は、アルバム名一覧表示からアルバム名を選択することでなされる（段落0017）、または、メニュー選択で『アルバム』を指定し、これにより示されるアルバムメニューで『開く』を選択することでなされる（段落0026）ところ、そのような「指定」や「選択」の操作（前記「特定の操作」とは異なる）が前記「入力装置」でなされることは明らかである。
　したがって、引用発明４は、「前記入力装置による
（前記特定の操作とは異なる）特定の操作
（前記特定の操作とは異なる）特定の操作
　本願発明と引用発明４とは、「前記入力装置による
（前記特定の操作とは異なる）特定の操作
　もっとも、引用発明４では、「
前記記録装置に記録されるデータの一覧
　「
（前記特定の操作とは異なる）特定の操作
　また、メニュー選択におけるメニューの表示（表示装置４ａの画面上段の『アルバム』、『メモリーカード』、『アドレス帳』、『アドレス帳作成』の表示）およびアルバムメニューの表示、またはアルバム名一覧表示は、「操作のための表示」といえ、本願発明でいう「前記記録装置に対応するアイコンを前記表示装置に表示する」ことに対応するものである。
　（ｃ３）「一覧を前記表示装置に表示するよう
制御する
制御
　引用発明４も、一覧を表示装置に表示するよう「制御する手段」を有するといい得るることは明らかである。したがって、「一覧を前記表示装置に表示するよう制御するデータ一覧表示制御手段」を有する点において、本願発明と相違するものではない。
　
　（２）一致点・相違点 
　
　以上の対比結果によれば、本願発明と引用発明４との一致点および相違点は、下記のとおりである。
　
　　　　　　　　　記（一致点） 
　撮像したデータを記録するメモリを備える撮像ユニットと、記録装置、表示装置および入力装置を備えるコンピュータとを含む撮像システムであって、
　
操作のための表示を制御する手段
　前記入力装置による
特定の操作
（前記特定の操作とは異なる）特定の操作
記録装置に記録されるデータ
　
　　　　　　　　　記（相違点）
　〈相違点１〉
　本願発明では、コンピュータは「（前記メモリを備える）前記撮像ユニットが接続される」とするのに対して、
　引用発明４では、コンピュータは「画像読取装置３を介して前記メモリに接続される」点。
　
　〈相違点２〉
　本願発明は、
　「
操作のための表示を制御する手段
　「前記入力装置による
特定の操作
　「前記入力装置による
（前記特定の操作とは異なる）特定の操作
　引用発明４は、
　「
操作のための表示を制御する手段
　「前記入力装置による
特定の操作
　「前記入力装置による（前記特定の操作とは異なる）
特定の操作
　
　〈相違点３〉
　「前記
記録装置に記録されるデータ
　本願発明では、前記記録装置に記録されるデータの一覧であるのに対して、
　引用発明４では、前記記録装置内の特定の保存領域内に記録されるデータの一覧である点。
　
　（３）相違点の判断等
　
　（ａ）相違点１について
　〈刊行物１記載技術〉
　　刊行物１には、後記する発明（引用発明１）が記載されており、これによれば、撮像したデータを記録するメモリを備える撮像ユニットをコンピュータに接続し、コンピュータから、撮像したデータを記録するメモリに記録される画像データを読出し／およびまたは書込みできるようにすることが記載されている。
　〈判断〉
　引用発明４の「コンピュータは画像読取装置３を介して前記メモリに接続される」とする構成は、コンピュータから、撮像したデータを記録するメモリに記録される画像データを読出すためのコンピュータとの接続態様であるところ、
　上記刊行物１記載技術も、同じくそのような接続態様として、「コンピュータは（前記メモリを備える）前記撮像ユニットが接続される」とするものであって引用発明４の上記接続態様に代替適用し得ることは明らかであり、またこれによれば、画像読取装置３が不要となる点でも利点があることも明らかである。
　相違点１に係る本願発明の構成は、上記刊行物１記載技術を参照することにより、当業者が容易になし得ることである。
　
　（ｂ）相違点２および相違点３について
　〈周知慣用技術〉
　　一般に、「アイコン」は、アイコンという技術用語が本願出願前既に存在するように周知慣用のものであり、コンピュータ利用技術において、コンピュータが備える／またはコンピュータに接続される各種装置や各種機能等が直感的に把握できるように表示画面上に小さな絵で表示するものである。
　そして、コンピュータから読出し／およびまたは書込みする記録装置（ハードディスクドライブ等）毎にそれぞれに対応するアイコンや、記録装置に記録されるデータを階層的にグループ化して分類するディレクトリ（フォルダ）毎にそれぞれに対応するアイコンを表示画面上に表示すること、そのような記録装置やディレクトリ（フォルダ）に対応するアイコンを選択することにより、そのアイコンに対応する記録装置やディレクトリ（フォルダ）に記録されているデータの一覧を表示することも、ユーザーインターフェースとして周知慣用技術に過ぎない。これには、例えば、ウインドウズ３．１等が挙げられる（例えば、下記周知例１参照）。
　〈判断〉
　上記周知慣用技術を参照し、引用発明４の、「
操作のための表示
特定の操作
　《
前記撮像ユニットに対応するアイコン
　そして、引用発明４において、相違点１に係る本願発明の構成としたとき、すなわち、撮像したデータを記録するメモリを備える撮像ユニットをコンピュータに接続する構成としたとき、
　上記周知慣用技術を適用するのに、撮像ユニットが備えるメモリが、コンピュータが備える記録装置とは別の撮像ユニットが備えるメモリであることが直感的に把握し得るアイコンとすることにメリットがあることは容易に想起され、また、撮像ユニットに対応するアイコンを用いること自体も周知であることから、同メモリを意味するアイコンの表示として「撮像ユニットに対応するアイコン」を表示するようにすることも、格別困難なこととはいえない。
　すなわち、引用発明４において、前記撮像ユニットに対応するアイコンを前記表示装置に表示するよう制御するアイコン表示制御手段を有し、前記撮像ユニットに対応するアイコンが前記入力装置により選択されると、前記メモリに記録されるデータの一覧を表示する構成とすることは当業者が容易になし得ることである。
　《前記記録装置に対応するアイコン》
　また、引用発明４に上記周知慣用技術を適用するとき、「アルバム」とは、記録装置に記録されている画像データのうちの特定の画像データの集まり（画像データグループ）を入れるディレクトリ（フォルダ）に対応づけられるものであることは自明であるから、「アルバムに対応するアイコン」を表示するようにし、これを選択すると、同アルバム内のデータの一覧を表示する構成することは容易に想起されるところ、
　引用発明４は、記録装置に記録される画像データの分類・整理の便宜を図るために、特に、画像データを格納する複数のアルバムを設定しこれを階層的に扱い得るようにしてあるものであるが、そのようにする代わりに、そのような分類・整理のことを考慮せず単純に撮像した画像データを全て記録装置に記録する構成とすることが格別とはいえない。そして、その場合、データが記録されるのは「アルバム」ではなく「記録装置」となるから、「アルバムに対応するアイコン」の代わりに、「前記記録装置に対応するアイコン」を用いることになる。
　したがって、引用発明４において、前記記録装置に対応するアイコンを前記表示装置に表示するよう制御するアイコン表示制御手段を有し、前記記録装置に対応するアイコンが前記入力装置により選択されると、前記メモリに記録されるデータの一覧を表示する構成とすることは当業者が容易になし得ることである
　
　（ｃ）全体、効果等　　
　以上のように、相違点１、相違点２および相違点３に係る本願発明の構成は、いずれも当業者に想到容易でない格別のものであるとはいえず、また、本願発明の構成を全体としてみても格別のものはなく、引用発明４との相違点１〜相違点３を克服して本願発明に至ることは、当業者が容易に想到し得ることである。
　その技術的効果も、上記刊行物４および刊行物１の記載及び周知慣用技術から当業者に予測し得る範囲内のものである。
　
　　　　　　　　記（周知例）
　〈周知例１〉
　「Microsoft Windows Version 3.1　Quick　ユーザーズガイド」、マイクロソフト株式会社発行、１９９３年１１月２５日、第２版第５刷発行、ｐ.4〜7、ｐ.18〜19、ｐ.108〜131
　〈周知例２〉
　「ASCII」、Vol.１５、第３号、１９９１年３月１日、「特集　Windows3.0とは何か」、株式会社アスキー，ｐ.229〜ｐ.237
　
　（４）まとめ （当審の判断）
 　本願発明は、刊行物４に記載された発明および刊行物１に記載された発明並びに周知慣用技術に基づいて当業者が容易に発明をすることができたものである。 
 　 
［３］刊行物１を主引用例として
　
　（１）対比（対応関係）
　
　〈引用発明１〉
　上記刊行物１には、ディジタル電子スチルカメラに関し、特にメモリカード等の記憶媒体または外部制御装置との接続ケーブルとが共通に接続可能な電子スチルカメラの構成に関するものが記載されており｛(M1)｝、
　前掲(M2)の課題を解決するため、前掲(M3)〜(M8)によれば、以下の発明（以下、「引用発明１」という。」）が記載されていると認められる。
　
引用発明１
　ＤＯＳ  ＦＡＴファイルシステムで記述されたカメラ内蔵コモンメモリ１１に対して外部制御機器（パソコン）からアクセスされるようにし、
　カメラ内コモンメモリ１１に対し画像データの書込／読出／消去いずれの事も行う事ができ、撮影後はカメラ内部の画像データを、ＰＣカードインターフェースを通してＰＣ等の外部制御機器に転送し得る構成とすることにより、
　内蔵された画像記憶手段（内蔵コモンメモリ１１）をカード型記憶媒体と同様に扱う（すなわち、ＰＣ等の外部制御機器からみると、あたかも電子スチルカメラ自体が安価なメモリカード型記憶媒体として動作する）事が可能となるようにした発明」
　
　本願発明と引用発明１とを対比すると、以下の対応が認められる。 
　（ａ）前提構成、「撮像したデータを記録するメモリを備える撮像ユニットと、前記撮像ユニットが接続されるとともに、記録装置、表示装置および入力装置を備えるコンピュータとを含む撮像システム」
　引用発明１の「内蔵コモンメモリ１１」、「電子スチルカメラ」、「パソコン」（「ＰＣ」）は、それぞれ、本願発明でいう「撮像したデータを記録するメモリ」、「撮像ユニット」、「コンピュータ」に相当する。
　引用発明１の「パソコン」（「ＰＣ」）は、「電子スチルカメラ」が接続されるものであり、一般にパソコン（ＰＣ）は、「記録装置」、「表示装置」および「入力装置」を備えるものである。
　そして、これら「記録装置」、「表示装置」および「入力装置」を備える「パソコン」（「ＰＣ」）と「電子スチルカメラ」を合わせたものは、「撮像システム」といい得るものである。
　以上のことから、引用発明１も「撮像したデータを記録するメモリを備える撮像ユニットと、前記撮像ユニットが接続されるとともに、記録装置、表示装置および入力装置を備えるコンピュータとを含む撮像システム」といい得るものであり、この点において本願発明との相違は認められない。
　
　（ｂ）「アイコン表示制御手段」、「データ一覧表示制御手段」」
　引用発明１は、上記いずれの表示制御手段も有さず、この点において、本願発明と相違する。
　
　（２）一致点・相違点 
　以上の対比結果によれば、本願発明と引用発明１との一致点および相違点は、下記のとおりである。
　
　　　　　　　　　記（一致点） 
　撮像したデータを記録するメモリを備える撮像ユニットと、記録装置、表示装置および入力装置を備えるコンピュータとを含む撮像システムである点。
　
　　　　　　　　　記（相違点）
　本願発明が、
　前記撮像ユニットに対応するアイコンおよび前記記録装置に対応するアイコンを前記表示装置に表示するよう制御するアイコン表示制御手段と、
　前記撮像ユニットに対応するアイコンが前記入力装置により選択されると、前記メモリに記録されるデータの一覧を表示するとともに、前記記録装置に対応するアイコンが前記入力装置により選択されると、前記記録装置に記録されるデータの一覧を前記表示装置に表示するよう制御するデータ一覧表示制御手段とを有するのに対して、
　引用発明１は、そのような、アイコン表示制御手段、データ一覧表示制御手段をいずれも有さない点
　
　（３）相違点の判断等
　
　（ａ）周知慣用技術
　前記（［２］（３）（ｂ））したように、
　一般に、「アイコン」は、アイコンという技術用語が本願出願前既に存在するように周知慣用のものであり、コンピュータ利用技術において、コンピュータが備える／またはコンピュータに接続される各種装置や各種機能等が直感的に把握できるように表示画面上に小さな絵で表示するものである。
　そして、コンピュータから読み込み／およびまたは書き込みする記録装置（ハードディスクドライブ等）毎にそれぞれに対応するアイコンや、記録装置に記録されるデータを階層的にグループ化して分類するディレクトリ（フォルダ）毎にそれぞれに対応するアイコンを表示画面上に表示すること、そのような記録装置やディレクトリ（フォルダ）に対応するアイコンを選択することにより、そのアイコンに対応する記録装置やディレクトリ（フォルダ）に記録されているデータの一覧を表示することも、ユーザーインターフェースとして周知慣用技術に過ぎない。これには、例えば、ウインドウズ３．１等が挙げられる（例えば、上記周知例１参照）。
　また、このようなアイコンを用いたユーザーインターフェースにおいて、（データ等の）ファイルを記録装置（やディレクトリ（フォルダ））間で移動やコピーするのに、ファイルのアイコンを記録装置のアイコンやウィンドウ内へのドラッグして行い得るようにすることも周知慣用技術にすぎない。　これには、例えば、上記周知例１（特にp.19）や上記周知例２（特にp.236，237）が参照される。
　
　（ｂ）刊行物４記載技術
　刊行物４には、前記したように、
　撮像したデータを記録するメモリを備える撮像ユニットと、画像読取装置３と、記録装置、表示装置および入力装置を備えるコンピュータとを含む撮像システムであって、コンピュータは画像読取装置３を介して外部メモリ２に接続され、入力装置による
特定の操作
（前記特定の操作とは異なる）特定の操作
　
　（ｃ）判断
　引用発明１は、カメラ内蔵コモンメモリ１１に対して外部制御機器（パソコン）からアクセスされるようにし、撮像ユニットが備えるメモリ（カメラ内コモンメモリ１１）に対し画像データの書込／読出／消去等を行い得るものであり、また、撮影後はカメラ内部の画像データを、ＰＣカードインターフェースを通してＰＣ等の外部制御機器に転送し得るものであるから、
　そのような画像データの書込／読出／消去や、転送すなわちコピーを行う上での確認や操作等のために、上記周知慣用技術のアイコン表示およびアイコン選択によるデータ一覧表示があれば便利であることや、上記刊行物４記載技術からみてもデータ一覧表示があれば便利であることは当業者に自明であり、したがって、引用発明１に上記周知慣用技術を適用することは当業者が容易に想到することである。
　（ｃ１）
前記撮像ユニットに対応するアイコン
　上記適用を図る時、撮像ユニットが備えるメモリが、コンピュータが備える記録装置とは別の撮像ユニットが備えるメモリであることが直感的に把握し得るアイコンとすることにメリットであることは容易に想起され、また、撮像ユニットに対応するアイコンを用いる自体も周知であることから、同メモリを意味するアイコンの表示として「撮像ユニットに対応するアイコン」を表示するようにすることも、格別困難なこととはいえない。
　すなわち、引用発明１において、「前記撮像ユニットに対応するアイコンを前記表示装置に表示するよう制御するアイコン表示制御手段を有し、前記撮像ユニットに対応するアイコンが前記入力装置により選択されると、前記メモリに記録されるデータの一覧を表示する」構成とすることは当業者が容易になし得ることである。
　（ｃ２）前記記録装置に対応するアイコンの表示、選択
　上記適用を図る時、「撮影後はカメラ内部の画像データを、ＰＣカードインターフェースを通してＰＣ等の外部制御機器に転送」する転送先としてコンピュータが備える前記記録装置とすることはごく普通に想定されることにすぎないから、引用発明１において、前記記録装置に対応するアイコンを前記表示装置に表示するよう制御するアイコン表示制御手段を有し、前記記録装置に対応するアイコンが前記入力装置により選択されると、前記メモリに記録されるデータの一覧を表示する」構成とすることは当業者が容易になし得ることである
　（ｃ３）まとめ（相違点）
　以上によれば、引用発明１に、上記相違点に係る本願発明の「アイコン表示制御手段」および「データ一覧表示制御手段」を付加して本願発明に至ることは、当業者が容易になし得ることである。
　
　（４）効果等　　
　以上のように、上記相違点に係る本願発明の構成は、当業者に想到容易でない格別のものであるとはいえず、また、本願発明の構成を全体としてみても格別のものはなく、その技術的効果も、上記刊行物１および刊行物４の記載並びに周知慣用技術から当業者に予測し得る範囲内のものである。
　
［４］まとめ（当審の判断）
　刊行物４を主引用例としても、刊行物１を主引用例としても、本願発明は、刊行物４に記載された発明および刊行物１に記載された発明並びに周知慣用技術に基づいて当業者が容易に発明をすることができたものである。
　
 【第５】むすび 
 　以上、本願の請求項１に係る発明は、刊行物４に記載された発明および刊行物１に記載された発明並びに周知慣用技術に基づいて当業者が容易に発明をすることができたものであるから、特許法第２９条第２項の規定により特許を受けることができない。 
　したがって、残る請求項２〜１０について特に検討するまでもなく、本願は拒絶をすべきものである。 
　
 　よって、結論のとおり審決する。